(57)【要約】【課題】風情を有する通信用媒体を提供する。【解決手段】本発明に係る通信用媒体としての本体１００は、環状部と、前記環状部に設けられた取手部と、を有する枠部材１１０と、枠部材１１０に取り付けられるシート部材１２０と、を含むことを特徴とする。これにより、本発明に係る通信用媒体は、形状が従来の通信用媒体とは大きく異なるため、通信先の人が新鮮さを感じる可能性が増す。そして、上記の特徴を有する通信用媒体は、形状が金魚すくいのポイを連想させる形状であるため、通信先の人が夏の季節を感じる可能性が増すと共に、懐かしさを感じる可能性も増す。【選択図】図１
2014151443.tif 000002
【特許請求の範囲】
【請求項１】
環状部と、前記環状部に設けられた取手部と、を有する枠部材と、
前記枠部材に取り付けられるシート部材と、
を含む本体を備えることを特徴とする通信用媒体。
【発明の詳細な説明】
【技術分野】
【０００１】
本発明は、通信制度に用いられて送達される通信用媒体に関する。
【背景技術】
【０００２】
通信制度に用いられる用紙として、例えば葉書がある。また、葉書の１つの種類として特許文献１には、記載された情報を隠蔽可能な隠蔽式葉書が開示されている。
【先行技術文献】
【特許文献】
【０００３】
【特許文献１】特開２００７−５５２０９号公報
【発明の概要】
【発明が解決しようとする課題】
【０００４】
通信用媒体は、通信元の人が通信先の人に意思や情報などを通ずる際に用いられる。しかし、通信用媒体は、これらの意思や情報などの疏通以外にも、季節の変わり目や、季節毎の出来事（イベント）で慣習として用いられることもある。このような場合、絵が描写された通信用媒体、いわゆる絵葉書（ポストカード）が用いられることがある。絵葉書は、通信先の人に風情を感じさせるように、用いられる際の季節に応じた絵が描写されている傾向がある。しかしながら、絵葉書は、長く親しまれた通信用媒体であるがために、新鮮さに欠けて風情が低減されてしまうおそれもある。
【０００５】
本発明は、上述した課題を解決するものであり、風情を有する通信用媒体を提供することを目的とする。
【課題を解決するための手段】
【０００６】
上述の目的を達成するために、本発明に係る通信用媒体は、環状部と、前記環状部に設けられた取手部と、を有する枠部材と、前記枠部材に取り付けられるシート部材と、を含む本体を備えることを特徴とする。
【０００７】
本発明に係る通信用媒体は、形状が従来の通信用媒体とは大きく異なるため、通信先の人が新鮮さを感じる可能性が増す。そして、上記の特徴を有する通信用媒体は、形状が金魚すくいのポイを連想させる形状であるため、通信先の人が夏の季節を感じる可能性が増すと共に、懐かしさを感じる可能性も増す。
【発明の効果】
【０００８】
本発明は、風情を有する通信用媒体を提供できる。
【図面の簡単な説明】
【０００９】
【図１】図１は、実施形態１の通信用媒体を示す図である。
【図２】図２は、実施形態１の枠部材を示す図である。
【図３】図３は、実施形態１のシート部材を示す図である。
【図４】図４は、実施形態２の通信用媒体を示す図である。
【図５】図５は、実施形態３の通信用媒体を示す図である。
【図６】図６は、実施形態４の通信用媒体を示す図である。
【発明を実施するための形態】
【００１０】
本発明を実施するための形態（実施形態）を、図面を参照しつつ詳細に説明する。は、以下の実施形態に記載した内容に限定はされない。また、以下に記載した構成要素は、当業者が容易に想定できるもの、及び、実質的に同一のものが含まれる。さらに、以下に記載した構成要素は、適宜組み合わされることが可能である。
【００１１】
（実施形態１）
図１は、実施形態１の通信用媒体を示す図である。図２は、実施形態１の枠部材を示す図である。図３は、実施形態１のシート部材を示す図である。
【００１２】
図１に示す通信用媒体としての本体１００は、枠部材１１０と、シート部材１２０とを有する。図２に示すように、枠部材１１０は、環状部１１１と、取手部１１２と、連結部１１３とを有する。本実施形態では、態様の１つとして、枠部材１１０は針金で形成される。環状部１１１は、針金が環状に曲げられることで形成される。環状部１１１の形状は、真円でもよいし、楕円でもよいし、多角形でもよい。本実施形態では、環状部１１１は、真円、または真円に近似した形状であるものとする。取手部１１２は、針金が直線的な棒状に形成される。取手部１１２は、例えば針金と針金が縄状に巻きつけられることで直線的な棒状に形成されてもよい。連結部１１３は、環状部１１１と取手部１１２とを連結する部分である。
【００１３】
枠部材１１０は、例えば、１本の針金が曲げられることで、環状部１１１と取手部１１２と連結部１１３とが一体に形成されることもできる。また、枠部材１１０は、１本目の針金で環状部１１１が形成され、２本目の針金で取手部１１２が形成され、取手部１１２の端部が環状部１１１に巻きつけられることで連結部１１３が構成されることもできる。また、枠部材１１０は、１本目の針金で環状部１１１が形成され、２本目の針金で取手部１１２が形成され、３本目の針金で環状部１１１と取手部１１２とを連結する連結部１１３が構成されることもできる。また、枠部材１１０は、環状部１１１と取手部１１２とが接着や溶着されることで連結部１１３が構成されてもよい。
【００１４】
図３に示すように、シート部材１２０は、シート１２１と、郵便番号記載印字部１２２と、宛先印字部１２３とを有する。シート１２１は、例えば、和紙である。シート１２１は、和紙が円形状に切り取られて形成される。シート１２１は、洋紙でもよいし、板状のプラスチックでもよい。但し、日本独自の風情を感じさせるという点で、シート１２１は和紙であることが好ましい。よって、本実施形態ではシート１２１は和紙であるものとする。また、シート１２１は、柄が印刷されたものでもよい。風情を感じさせるという点で、柄は、例えば金魚すくいを連想させる金魚や、古風な日本を連想させるマリなどが考えられる。なお、発明を実施するための形態の説明で印刷という文言を用いているが、この印刷という文言にはスタンプのように押印して図柄を転写するものも含まれる。
【００１５】
郵便番号記載印字部１２２及び宛先印字部１２３は、本体１００の配送先の情報が記載される部分である。郵便番号記載印字部１２２は、配送先の郵便番号が記載する部分である。取手部１１２は、連続した３つの四角形と、連続した４つの四角形と、連続した３つの四角形と連続した４つの四角形との間に設けられる棒線（ハイフン）とを含む。宛先印字部１２３は、棒線である。郵便番号記載印字部１２２及び宛先印字部１２３は、直線（線分）で描かれてもよいし、破線で描かれてもよいし、曲線を含む線で描かれてもよい。曲線を含む線とは、例えば、波線である。また、曲線を含む線の１つの態様として、郵便番号記載印字部１２２及び宛先印字部１２３は、フリーハンドに模して描かれると風情を感じさせるという点で好ましいこともある。
【００１６】
郵便番号記載印字部１２２及び宛先印字部１２３は、シート１２１が和紙から円形状に切り取られるよりも前にシート１２１に印刷されてもよいし、シート１２１が和紙から円形状に切り取られた後にシート１２１に印刷されてもよい。但し、印刷機が円形状のシートへの印刷に対応していないことが考えられるため、郵便番号記載印字部１２２及び宛先印字部１２３は、シート１２１が和紙から円形状に切り取られるよりも前にシート１２１に印刷されることが好ましい。また、郵便番号記載印字部１２２と宛先印字部１２３とは、どちらか一方がシート１２１に印刷されてもよいし、両方がシート１２１に印刷されなくてもよい。
【００１７】
図１に示す本体１００は、シート部材１２０が枠部材１１０に取り付けられることで構成される。シート部材１２０は、枠部材１１０に接着（糊付け）されてもよいし、枠部材１１０に巻きつけられたり、紐で枠部材１１０に縛り付けられたりすることで取り付けられてもよい。
【００１８】
上記構成により、本体１００は、形状が従来の通信用媒体とは大きく異なるため、通信先の人が新鮮さを感じる可能性が増す。そして、本体１００は、形状が金魚すくいのポイを連想させる形状であるため、通信先の人が夏の季節を感じる可能性が増すと共に、懐かしさを感じる可能性も増す。
【００１９】
（実施形態２）
図４は、実施形態２の通信用媒体を示す図である。図４に示す実施形態２の通信用媒体としての本体２００は、枠部材がプラスチックで形成される点に特徴がある。本体２００は、枠部材２１０と、シート部材１２０とを有する。なお、他の実施形態と同様の構成要素は、同じ符号で示されており、説明が省略される。
【００２０】
枠部材２１０は、環状部２１１と取手部２１２とを有する。環状部２１１及び取手部２１２は、板状のプラスチックで一体に形成される。環状部２１１の形状は、真円でもよいし、楕円でもよいし、多角形でもよい。なお、環状部２１１及び取手部２１２は別体で形成され、取手部２１２が環状部２１１に接着や溶着などの手法で連結されてもよい。枠部材２１０の色は、１つの色に限定されないが、黄系、青系（水色）、赤系のように、金魚すくいのポイを連想させる色が好ましい。また、環状部２１１と取手部２１２とは同色に限定されず、互いに異なる色でもよい。また、枠部材２１０は単色に限定されず、複数の色で構成されたり、柄を有したりしてもよい。
【００２１】
上記構成により、本体２００は、形状が従来の通信用媒体とは大きく異なるため、通信先の人が新鮮さを感じる可能性が増す。そして、本体２００は、形状が金魚すくいのポイを連想させる形状であるため、通信先の人が夏の季節を感じる可能性が増すと共に、懐かしさを感じる可能性も増す。また、本体２００は、枠部材２１０がプラスチックで環状部２１１と取手部２１１とが一体に形成されるため、図１に示す本体１００よりも大量生産されやすい。
【００２２】
（実施形態３）
図５は、実施形態３の通信用媒体を示す図である。図５に示す実施形態３の通信用媒体としての本体３００は、郵便番号記載印字部と、宛先印字部とが枠部材に設けられる点に特徴がある。本体３００は、枠部材３１０と、シート部材３２０とを有する。なお、他の実施形態と同様の構成要素は、同じ符号で示されており、説明が省略される。
【００２３】
枠部材３１０は、環状部２１１と取手部２１２とを有する。枠部材３１０は、取手部２１２に郵便番号記載印字部１２２及び宛先印字部１２３が印刷されている。なお、郵便番号記載印字部１２２及び宛先印字部１２３は、環状部２１１に印刷されてもよい。また、郵便番号記載印字部１２２と宛先印字部１２３とは、どちらか一方が枠部材３１０に印刷されてもよいし、郵便番号記載印字部１２２と宛先印字部１２３との一方が環状部２１１に印刷され、他方が取手部２１２に印刷されてもよい。シート部材３２０は、シート１２１を有する。本実施形態では、郵便番号記載印字部１２２及び宛先印字部１２３が枠部材３１０に印刷されているため、シート１２１は郵便番号記載印字部１２２及び宛先印字部１２３が印刷されていない。
【００２４】
上記構成により、本体３００は、形状が従来の通信用媒体とは大きく異なるため、通信先の人が新鮮さを感じる可能性が増す。そして、本体３００は、形状が金魚すくいのポイを連想させる形状であるため、通信先の人が夏の季節を感じる可能性が増すと共に、懐かしさを感じる可能性も増す。また、本体３００は、郵便番号記載印字部１２２及び宛先印字部１２３がシート１２１に印刷されないため、通信元の人によってシート１２１に書き込まれることができる文字数が増加する。
【００２５】
（実施形態４）
図６は、実施形態４の通信用媒体を示す図である。図６に示す実施形態４の通信用媒体４００は、袋を有する点に特徴がある。通信用媒体４００は、本体４０１と、袋４１０と、紐４２０と、宛先記載用紙４３０と、を有する。本体４０１は、図１に示す本体１００と、図４に示す本体２００と、図５に示す本体３００とのうちの少なくとも１つと同様の構成である。但し、本体４０１は、郵便番号記載印字部１２２及び宛先印字部１２３が含まれていない。
【００２６】
袋４１０は、透過性を有する部材である。袋４１０は例えばビニール製の袋であり、金魚すくいで金魚を入れるために用いられる袋に模して形成される。袋４１０は、本体４０１が挿入可能な形状（大きさ）に形成される。紐４２０は、袋４１０の開口の近傍に設けられる。紐４２０は、袋４１０の開口を塞ぐことが可能に設けられる。紐４２０の色は限定されないが、金魚すくいを連想させる赤系が好ましい。
【００２７】
宛先記載用紙４３０は、郵便番号記載印字部１２２及び宛先印字部１２３が印刷された紙である。なお、宛先記載用紙４３０は、紙に限定されず板状のプラスチックでもよい。また、郵便番号記載印字部１２２と宛先印字部１２３とは、どちらかが宛先記載用紙４３０印刷されてもよいし、両方が宛先記載用紙４３０に印刷されなくてもよい。宛先記載用紙４３０は、例えば、袋４１０内に収納されることが可能な形状に形成される。袋４１０の透明度は限定されないが、袋４１０内に収納された宛先記載用紙４３０に書かれた文字が袋４１０の外側から可視できるように、透明度が高いほど好ましい。なお、宛先記載用紙４３０は、袋４１０内に挿入されずに、袋４１０の外側の表面に貼り付けられてもよい。
【００２８】
上記構成により、通信用媒体４００は、形状が従来の通信用媒体とは大きく異なるため、通信先の人が新鮮さを感じる可能性が増す。そして、通信用媒体４００は、形状が金魚すくいのポイを連想させる形状であるため、通信先の人が夏の季節を感じる可能性が増すと共に、懐かしさを感じる可能性も増す。また、通信用媒体４００は、袋４１０内に本体４０１と宛先記載用紙４３０とが収納され、紐４２０で袋４１０の開口が塞がれた状態で使用される。これにより、通信用媒体４００は、通信先の人により強く金魚すくいを連想させて、通信先の人が風情を感じる可能性がさらに増す。
【００２９】
なお、本実施形態では、郵便番号記載印字部１２２及び宛先印字部１２３が宛先記載用紙４３０に印刷されているが、郵便番号記載印字部１２２及び宛先印字部１２３は、本体４０１の一部に印刷されてもよい。つまり、本体４０１は、図１に示す本体１００や、図４に示す本体２００や、図５に示す本体３００と全く同一の構成でもよい。この場合、宛先記載用紙４３０は省略される。
【００３０】
（付記項１）
環状部と、前記環状部に設けられた取手部と、を有する枠部材と、
前記枠部材に取り付けられるシート部材と、
を含む本体を備えることを特徴とする通信用媒体。
（付記項２）
前記本体の一部に郵便番号を記載するための郵便番号記載印字部を有することを特徴とする付記項１に記載の通信用媒体。
（付記項３）
前記本体の一部に宛先を記載するための宛先印字部を有することを特徴とする付記項１または付記項２に記載の通信用媒体。
（付記項４）
前記本体を収納可能な透過性を有する袋と、
前記袋の開口の近傍に設けられて、前記開口を塞ぐことが可能な紐と、
を含むことを特徴とする付記項１から付記項３のいずれか一項に記載の通信用媒体。
【符号の説明】
【００３１】
１００  本体
１１０  枠部材
１１１  環状部
１１２  取手部
１１３  連結部
１２０  シート部材
１２１  シート
１２２  郵便番号記載印字部
１２３  宛先印字部
２００  本体
２１０  枠部材
２１１  環状部
２１２  取手部
３００  本体
３１０  枠部材
３２０  シート部材
４００  通信用媒体
４０１  本体
４１０  袋
４２０  紐
４３０  宛先記載用紙
【図１】
2014151443.tif 000003
【図２】
2014151443.tif 000004
【図３】
2014151443.tif 000005
【図４】
2014151443.tif 000006
【図５】
2014151443.tif 000007
【図６】
2014151443.tif 000008